(57)【特許請求の範囲】
【請求項１】
本体ケース(1)とアダプター(2)を包含し、
該本体ケース(1)は該アダプター(2)の取付口(3)を備え、
該アダプター(2)は軸孔(4)を備えた筒状体で該軸孔(4)の一端部が高圧ガス容器(B)の取付部(5)で他端部が撃針伝導軸(6)の導入部(7)となっており、かつ該取付部(5)側の外径(D)が該導入部(7)側の外径(d)より大となっており、
該導入部(7)側の外壁面(8)と該取付口(3)の内壁面(9)にバヨネット型の係合機構(10)が分設され、
該導入部(7)側は表示窓(11)を、該アダプター(2)を該取付口(3)に取り付けた状態でも外部に開放する位置に備え、
該本体ケース(1)は該取付口(3)に該係合機構(10)の係合状態保全用のロック機構(12)を備えている
ことを特徴とする本体ケースとアダプターの着脱機構。
【請求項２】
該係合機構(10)は該取付部(5)の該外壁面(8)側が突起(31)で該内壁面(9)側が凹部(32)となっており、該突起(31)と該凹部(32)はそれぞれ直径上にかつ各一方が周方向にある角度(θ)だけずれた位置に対設されて特定の相対位置でのみ係合可能となっており、該表示窓(11)は該係合機構(10)の係合状態で特定方向に開放するようになっている請求項１に記載の本体ケースとアダプターの着脱機構。
【請求項３】
該係合機構(10)は該取付部(5)の該外壁面(8)側が突起(41)で該内壁面(9)側が凹部(42)となっており、該突起(41)と該凹部(42)はそれぞれ直径上にかつ各一方の外周長を他方の外周長より大にして対設されて特定の相対位置でのみ係合可能となっており、該表示窓(11)は該係合機構(10)の係合状態で特定方向に開放するようになっている請求項１に記載の本体ケースとアダプターの着脱機構。
【請求項４】
該表示窓(11)は、該撃針伝導軸(6)が該導入部(7)内を移動した場合に該撃針伝導軸(6)に関して設けた標識(51)を視認可能として、高圧ガス容器(B)の使用済みを表示するものである請求項１、２又は３に記載の本体ケースとアダプターの着脱機構。
【請求項５】
該ロック機構(12)は該アダプター(2)の該突起(31,41)の移動通路上に臨出するロック片(61)、該ロック片(61)を該取付口(3)の軸線(x)方向へ押圧するスプリング(62)及び該ロック片(61)と結合したつまみ(63)を包含している請求項１から４の一つの項に記載の本体ケースとアダプターの着脱機構。
【請求項６】
該ロック片(61)は欠環状となっており、該取付口(3)の周壁に該取付口(3)と同心に形成した欠環状溝(71)に該取付口(3)の軸線(x)方向に移動自在に収容され、該アダプター(2)の圧入により該突起(31,41)が該ロック片(61)の当接面(72)に当接してこれを押し込み、続く回転動作で該当接面(72)から離脱した状態で該スプリング(62)により原位置に復帰し、その湾曲方向の端面(73)で該突起(31,41)の側面(74,75)と係合して該アダプター(2)の戻りを阻止するようになっている請求項５に記載の本体ケースとアダプターの着脱機構。
【請求項７】
該つまみ(63)は該本体ケース(1)に穿った長孔(81)を通して該本体ケース(1)の外部から該ロック片(61)と弾発的に係合しており、該つまみ(63)の移動により該ロック片(61)の端面(73)を該突起(31,41)の側面(74,75)から外して、該突起(31,41)の戻りを許容するようになっている請求項５に記載の本体ケースとアダプターの着脱機構。
【請求項８】
該本体ケース(1)の該長孔(81)は、該つまみ(63)の移動範囲を、該ロック片(61)が欠環状溝(71)から脱出しない範囲に、規制している請求項７に記載の本体ケースとアダプターの着脱機構。
【発明の詳細な説明】
【技術分野】
【０００１】
本発明は本体ケースとアダプターの着脱機構に関し、本体ケースと高圧ガス容器のアダプターの着脱を簡単かつ確実に行えるようにすると共に、高圧ガス容器が使用済みであるか否かをも簡単かつ確実に知ることができるようにしたものである。
【背景技術】
【０００２】
高圧ガス容器を本体ケースに取付ける場合、高圧ガス容器の首部外周面に形成した雄ねじを本体ケースの取付口の内周面に形成した雌ねじと螺合させるのが一般的である（例えば、特許文献１、２）が、アダプターを採用し、高圧ガス容器をこのアダプターに取り付けてからこのアダプターを本体ケースの取付口にバヨネット結合するものも知られている（例えば、特許文献３、４）。
【０００３】
また、使用に供される高圧ガス容器は未使用のものでなくてはならないが、不注意により使用済みのものが採用される危険性もある。殊に、開封装置が救命胴着に付設されるような場合には人命に重大な影響を及ぼす。そこで、高圧ガス容器が使用された場合に使用済みを表示して誤使用を防ぐ各種の方法が開示されている（例えば、特許文献１、２、３、４）。
【先行技術文献】
【特許文献】
【０００４】
【特許文献１】特開２００１−２１３３９１号公報
【特許文献２】特開２００４−５８９７１号公報
【特許文献３】USP 5413247号明細書
【特許文献４】PCT公開WO 03/022631 A2
【発明の概要】
【発明が解決しようとする課題】
【０００５】
特許文献１の特開２００１−２１３３９１号公報や特許文献２の特開２００４−５８９７１号公報に示された螺合方式は、ねじのピッチが小さくて数が多い場合、次のような困難を伴う。先ず、着脱の際にアダプターのねじを高圧ガス容器のねじと整合させないと、ねじが段違いで螺合してしまい、ねじ込みが不可能となる。この整合を取るのは案外厄介である。次に、何回も回転する必要があり、作業が面倒である。
【０００６】
特許文献３のUSP 5413247号明細書や特許文献４のPCT公開WO 03/022631 A2号公報に示されたバヨネット式の着脱機構は、高圧ガス容器の取付作業を所謂ワンタッチで行えるが、取外しも取付動作と反対の動作で簡単に行えるので、取付状態を保全したい意向に反して取外される危険性がある。
【０００７】
また、高圧ガス容器の使用済み、又は未使用を表示するための手段が、既記の特許文献１〜３や特許文献４のPCT公開WO 03/022631 A2号公報に開示されている。
【０００８】
特許文献１の特開２００１−２１３３９１号公報によれば、段落００４９や図９に示されたように、ボンベ６５から噴出したガスの一部をインジケータ４９に導入し、不可表示体５６の移動でボンベの使用可、不可を表示するようになっている。この場合、インジケータ４９を別個に用意する必要があり、構造が複雑で、コスト高になる欠点がある。
【０００９】
特許文献２の特開２００４−５８９７１号公報では、段落００３１や図６に示されているように、救命用浮体膨張装置１が自動又は手動で作動するとき、シーソー型レバー２２は撃針１２と同方向に伝動杆１４も摺動させ、この伝動杆１４の先端で色表示環１８中にある色表示環３８を押し出して本体色表示窓１９内の可使用色を無くすると共にプラグ１６はソケット２４内を摺動してそれまで可使用色６…であったソケット色表示窓３２の中を不可使用色７で満たして静止する。この場合、プラグ１６やソケット２４に加え、救命用浮体膨張装置１にプラグ１６の色表示環３８の嵌合溝１８も形成しなければならず、構造が大変複雑で、当然コスト高を招く。
【００１０】
の第２欄中ほどの「光学的表示手段」の次の「は」は続く半円(  )がこの光学的表示手段」の補足説明となっているので、除きました。
特許文献３のUSP 5413247号明細書中のクレーム２と３に、カートリッジ１０が開放されたことを視認させる光学的表示手段が開示されている。クレーム２は、カッター１９がカートリッジ１０を開放する方向へ動いたときの分力で分離要素１４を作動させ、この光学的表示手段を使い捨て部品１１から押し出すようにした構成である。また、クレーム３はクレーム２の従属項で、光学的表示手段を具体的に「小さな表示板１３」と特定している。この小さな表示板１３はまた、噴出ガスの圧力でも使い捨て部品１１から押し出されるようになっている。
ここでは使い捨て部品１１が採用され、光学的表示手段（小さな表示板１３）は外力によりこの使い捨て部品１１から取り外し自在となっている。従って、反復使用は意図されておらず、極めて不経済で、今日のリサイクル、省資源の傾向に反する。
【００１１】
特許文献４のPCT公開WO 03/022631 A2の第２２頁上から５行目〜１３行目に「Thus, while moving…an inoperable condition.」の記載があり、翻訳すると以下の通りとなろう。
「かくして、伸長位置へ移動する間に、起立腕１０２はシリンダアダプタ４０の破砕カラー４４を強制破砕し、同時に、指示器シャッター１００は指示窓２６と同列上に移動する。“赤”色となった往復動部材９６と共に、膨張器１０の発動で赤指示器シャッター１００は、指示器窓２６を通して見ることができるようになって、作動不可状態を見えるように指示することが容易に分かる。更に、ボス１４の端から伸びている赤の起立腕１０２と衝撃溝９２内で見られる切断腕１０６は同様に作動不可状態を指示する。」
これによると、往復動部材９６の構成が複雑で、コスト高になる恐れがあり、しかも作動の確実性が疑問とならざるを得ない。
【課題を解決するための手段】
【００１２】
(請求項１)  本発明にかかる本体ケースとアダプターの着脱機構は、本体ケースとアダプターを包含している。該本体ケースは該アダプターの取付口を備えている。該アダプターは軸孔を備えた筒状体で、該軸孔の一端部が高圧ガス容器の取付部で他端部が撃針伝導軸の導入部となっており、該取付部側の外径は該導入部側の外径より大となっている。該導入部側の外壁面と該取付口の内壁面にバヨネット型の係合機構が分設される。該導入部側は表示窓を、該アダプターを該取付口に取り付けた状態でも外部に開放する位置に備えている。そして、該本体ケースは該取付口に該係合機構の係合状態保全用のロック機構を備えている。
【００１３】
アダプターは高圧ガス容器を本体ケースに取付ける際に使用され、高圧ガス容器をアダプターの一端部に取付けてからこのアダプターの他端部を本体ケースの取付口に取付ける。この取付けでこの取付口に連通して本体ケースに設けられている透孔に摺嵌している撃針伝導軸の一端部が該軸孔内に入り込む。この撃針伝導軸の一端部には指示器が取り付けられ、この指示器の端部に穿針が取り付けられる。この撃針伝導軸の長さを指示器も含めたものとし、この撃針伝導軸の側面に標示を施して端部に穿針を取り付けるようにしてもよい。標識は色分けや、文字若しくは図形等、適宜のものを採用できる。
【００１４】
アダプターの他端部は取付口にバヨネット係合するので、操作はワンタッチでできる。
また、該アダプターは該取付部側の外径が該導入部側の外径より大となっているので、本体ケースの該取付口の内径を小さくでき、ロック機構を臨設してもこの部分が大きくならず、アダプターに高圧ガス容器を取付けても表示窓が塞がらない。
【００１５】
表示窓はこの他端部に設けられ、この他端部を取付口に取付けた状態でも開放する位置にある。人力又はスプリングの解除力により撃針伝導軸を移動させると、穿針が高圧容器の封板を突き破り、内部のガスを取り出す。撃針伝導軸に関して「使用可」の標示を設けておけば、この撃針伝導軸の移動で標示も変わり、使用不可を表示する。
【００１６】
「該導入部側の外壁面と該取付口の内壁面にバヨネット型の係合要素を分設する」という記載中の「分設」とは、バヨネット係合に必要な互いに協働する一対の係合要素を、係合させようとする各部材に各別に配置することを意味している。
【００１７】
該ロック機構は、該他端部を該取付口に取り付けると、分設された係合要素の一方により強制的に退散するので係合に支障はなく、バヨネット係合が完了すると該ロック機構は該一方による抑制を解かれるので、原位置に復帰して該バヨネット係合状態を保全する。
【００１８】
（請求項２）該係合機構は該取付部の該外壁面側が突起で該内壁面側が凹部となっており、該突起と該凹部はそれぞれ直径上にかつ各一方が周方向にある角度だけずれた位置に対設されて特定の相対位置でのみ係合可能となっており、該表示窓は該係合機構の係合状態で特定方向に開放するようになっていてもよい。
こうすると、突起の周長が同じなので寸法取りが容易で、アダプターと本体ケースは決まった位置でしか嵌合できないので、表示窓の係合状態での開放方向を自由に決めて使用者に相対させることにより、高圧ガス容器の使用、不使用を確実に視認できる。
【００１９】
（請求項３）該係合機構は該取付部の該外壁面側が突起で該内壁面側が凹部となっており、該突起と該凹部はそれぞれ直径上にかつ各一方の外周長を他方の外周長より大にして対設されて特定の相対位置でのみ係合可能となっており、該表示窓は該係合機構の係合状態で特定方向に開放するようになっていてもよい。
こうすると、突起は直径上に対設するので製造が容易で、アダプターと本体ケースは決まった位置でしか嵌合できないので、表示窓の嵌合状態での開放方向を自由に決めて使用者に相対させることにより、高圧ガス容器の使用、不使用を確実に視認できる。
【００２０】
（請求項４）該表示窓は、該撃針伝導軸が該導入部内を移動した場合に該撃針伝導軸に関して設けた標識を視認可能として、高圧ガス容器の使用済みを表示するものであっていてもよい。
こうすると、表示窓に標識が現れた状態では撃針伝導軸に取り付けた穿針が必ず封板を突き破っているので、高圧ガス容器が使用済みであることを保証できる。「関して」は、標識を撃針伝導軸に設けても、また一端部で該撃針伝導軸に結合し他端部に該穿針の支持する支持体に設けてもよいことを意味し、標識は色分けや文字若しくは図形等、適宜のものを採用できる。
【００２１】
（請求項５）  該ロック機構は該アダプターの該突起の移動通路上に臨出するロック片、該ロック片を該取付口の軸線方向へ押圧するスプリング及び該ロック片と結合したつまみを包含していてもよい。
こうすると、該ロック機構は、そのつまみにより該バヨネット係合状態を離脱させることができ、つまみを操作しない限り、該他端部の戻りを許容しないので、振動等で高圧ガス容器が本体ケースから離脱することはない。
【００２２】
（請求項６）  該ロック片は欠環状となっており、該取付口の周壁に形成した該取付口と同心の欠環状溝に該取付口の軸線方向に移動自在に収容され、該アダプターの圧入により該突起が該ロック片の当接面に当接してこれを押し込み、続く回転動作で該当接面から離脱した状態で該スプリングにより原位置に復帰し、その湾曲方向の端面で該突起の側面と係合して該アダプターの戻りを阻止するようになっていてもよい。
こうすると、該ロック片の自動復帰により該突起の自動ロックができ、一旦ロックすると、該ロック片は人為的に力を加えない限り原状復帰をしないので、高圧ガス容器が意に反して本体ケースから脱出する恐れはない。
【００２３】
（請求項７）該つまみは該本体ケースに穿った長孔を通して該本体ケースの外部から該ロック片と弾発的に係合しており、該つまみの移動により該ロック片の端面を該突起の側面から外して、該突起の戻りを許容するようになっていてもよい。
こうすると、該ロック片を該欠環状溝に収めた状態で該つまみを該ロック片と、該長孔を通して結合でき、組立てが容易で、該つまみにより該ロック片を退避させることにより、該アダプターを該本体ケースから取り外すことができる。
【００２４】
（請求項８）  該本体ケースの該長孔は、該つまみの移動範囲を、該ロック片が欠環状溝から脱出しない範囲に、規制していてもよい。
こうすると、該ロック片が該欠環状溝から脱出するのを防げる。
【発明の効果】
【００２５】
本発明にかかる本体ケースとアダプターの着脱機構によれば、以下に述べる効果を奏する。即ち、アダプターの他端部は取付口にバヨネット係合するので操作はワンタッチでできる。該アダプターは該取付部側の外径が該導入部側の外径より大となっているので本体ケースの該取付口の内径を小さくでき、ロック機構を臨設してもこの部分が大きくならない。
【００２６】
表示窓はこの他端部を取付口に取付けた状態でも露出した位置にあるので高圧ガス容器の使用又は不使用の表示を目視可能にできる。ロック機構は、該他端部の取り付け時に該係合要素により強制的に退避位置に退散するので係合に支障はなく、バヨネット係合が完了すると該ロック機構は該係合要素による抑制を解かれるので、原位置に復帰して該バヨネット係合状態を保全する。
【００２７】
請求項２や３によれば、アダプターと本体ケースは決まった位置でしか嵌合できず、係合状態で表示窓が使用者に相対し、高圧ガス容器の使用、不使用を確実に視認できる。
【００２８】
請求項４によれば、アダプターと本体ケースは決まった位置でしか嵌合できず、嵌合状態で表示窓が使用者に相対し、使用者は高圧ガス容器の使用、不使用を確実に視認できる。
【００２９】
請求項５によれば、つまみの操作により、該ロック機構を解放してアダプターを本体ケースから取り外せ、取り外し後につまみを放せば、スプリングによりつまみは原位置に戻ってアダプターの次の取り付けに備えさせられ、つまみを操作しない限りアダプターが本体ケースから外れる恐れはない。
【００３０】
請求項６によれば、該ロック片の自動復帰により該突起の自動ロックができる。
【００３１】
請求項７によれば、ロック片を欠環状溝に収めた状態でつまみをロック片と、長孔を通して結合でき、組立てが容易で、つまみによりロック片を退避させることにより、アダプターを本体ケースから取り外すことができる。
【００３２】
請求項８によれば、ロック片が欠環状溝から脱出するのを防げる。
【図面の簡単な説明】
【００３３】
【図１】本発明にかかる本体ケースとアダプターの着脱機構の具体例を、救命胴着用膨張装置に対する組み込み用として示す斜面図である。
【図２】図１の２−２線切断斜面図である。
【図３】図２のアダプター部分の線３−３視図である。
【図４】図２の本体ケース部分の線４−４視図である。
【図５】ロック機構１２のロック片６１を含めた斜面図である。
【図６】撃針伝導軸６の詳細斜面図である。
【発明を実施するための形態】
【００３４】
（請求項１）本発明にかかる本体ケースとアダプターの着脱機構は、本体ケース１とアダプター２を包含している。この本体ケース１はアダプター２の取付口３を備える。このアダプター２は軸孔４を備えた筒状体で、この軸孔４の一端部が高圧ガス容器Ｂの取付部５で他端部が撃針伝導軸６の導入部７となっている。またこのアダプターは、取付部５側の外径Ｄが導入部７側の外径ｄより大となっている。
【００３５】
この導入部７側の外壁面８と取付口３の内壁面９にバヨネット型の係合機構１０が分設
される。この導入部７側は表示窓１１を、このアダプター２を取付口３に取り付けた状態でも外部に開放する位置に備えている。本体ケース１は取付口３に係合機構１０の係合状態保全用のロック機構１２を備えている。
【００３６】
この本体ケース１は、これに取り付けた高圧ガス容器Ｂを開封して内部の圧力ガスを需要側の要求に応じて送るためのものである。例えば、救命胴着に本体ケース１を装着しておき、緊急時に高圧ガス容器Ｂの封板５３を手動で、又は水脆性を有する紙環で拘束した作動桿の釈放で、破断してガスで胴着を膨らませる。また、飲料容器ではこのガス圧で内部液体を押し出す。
【００３７】
高圧ガス容器は直接本体ケースに取り付けられる場合もあるが、本発明ではアダプター２を介して本体ケース１に取り付けられる。このアダプター２は取付部５側の外径Ｄが導入部７側の外径ｄより大となっているので、本体ケース１の取付口３の内径を小さくでき、ロック機構１２を臨設してもこの部分が大きくならない。
【００３８】
高圧ガス容器Ｂをアダプター２の取付部５に取り付け、このアダプター２を本体ケース１の取付口３に取り付ける。この取付けは図示の場合はねじ式となっているが、バヨネット式でもよい。
【００３９】
このアダプター２を本体ケース１に、他端部側の外壁面８と取付口３の内壁面９に分設したバヨネットの係合機構１０を利用して取り付ける。この取付けの完了状態でも表示窓１１が外方へ開放しているので、撃針伝導軸６が開封のために移動すると、表示窓１１を通してそれを確認できる。念のため、撃針伝導軸６に標識５１を施しておくのが望ましい。
【００４０】
ロック機構１２はアダプター２の係合機構１０の移動通路上に弾発的に臨出し、このアダプター２の他端部側を取付口３に圧嵌する際、係合機構１０により強制的に退避位置に退散して係合機構１０の進入を許す。
【００４１】
このアダプター２を回転してその係合機構１０がロック機構１２と離別すると、ロック機構１２は原位置に復帰してバヨネット係合状態を保全する。この離別でアダプター２とロック機構１２の係合機構１０は、アダプター２とロック機構１２の相対的な軸線方向の移動に対しては互いに無干渉となり、相対的な回転動作に対してのみ干渉する。そのため、アダプター２を押し込んでもその係合機構１０は取付口３のロック機構１２を現状位置から退散させられず、アダプター２は回転不能のままとなって取付口３から取り外せないので、高い安全性を保証できる。
【００４２】
（請求項２）係合機構１０は取付部５の外壁面８側が突起３１で内壁面９側が凹部３２となっており、この突起３１と凹部３２はそれぞれ直径上にかつ各一方が周方向にある角度θだけずれた位置に対設されて特定の相対位置でのみ係合可能となっている。そして、表示窓１１は係合機構１０の係合状態で特定方向に開放するようになっている。
この場合、突起３１の周長が同じなので寸法取りが容易で、アダプター２と本体ケース１は決まった位置でしか嵌合できないので、表示窓１１の係合状態での開放方向を自由に決めて使用者に相対させることにより、高圧ガス容器Ｂの使用、不使用を確実に視認できる。
【００４３】
（請求項３）係合機構１０は取付部５の外壁面８側が突起４１で内壁面９側が凹部４２となっている。突起４１と凹部４２はそれぞれ直径上にかつ各一方の外周長を他方の外周長より大にして対設されて特定の相対位置でのみ係合可能となっている。そして、表示窓１１はバヨネット係合状態で特定方向に開放するようになっている。
この場合、突起４１は直径上に対設するので製造が容易で、アダプター２と本体ケース１は決まった位置でしか嵌合できないので、表示窓１１の嵌合状態での開放方向を自由に決めて使用者に相対させることにより、高圧ガス容器Ｂの使用、不使用を確実に視認できる。
【００４４】
（請求項４）表示窓１１は、撃針伝導軸６が導入部７内を移動した場合に撃針伝導軸６又はこの撃針伝導軸６に関して設けた標識５１を視認可能として、高圧ガス容器Ｂの使用済みを表示するものである。標識５１としては、色分け、文字もしくは表示等、適当なものを採用できる。
この場合、表示窓１１に標識５１が現れた状態では撃針伝導軸６に取り付けた穿針５２が必ず封板５３を突き破っているので、使用済みであることを保証できる。標識５１を撃針伝導軸６に設けてもよいが、この撃針伝導軸６と同一軸線上で隣設され、他端面に穿針５２を支持する支持体５４に設けてもよい。
【００４５】
この支持体５４の他端面には穿針５２の嵌合孔５５とガス通孔５６が開口し、これらの嵌合孔５５とガス通孔５６は内部で導出孔５７に合流して一端面に開口する。撃針伝導軸６が支持体５４と対接する面と側面の縮径部５８にかけてガスを導く傾斜路５９が形成される。この縮径部５８は需要側のガス導入孔（図示省略）に連通する。６０はＯリングである。５４’は支持体５４の他端面から突き出た抵抗片で、支持体５４が軸孔４から簡単に脱出しないようにするためのものである。  
【００４６】
（請求項５）ロック機構１２はアダプター２の突起３１、４１の移動通路上に臨出するロック片６１、このロック片６１を取付口３の軸線ｘ方向へ押圧するスプリング６２及びこのロック片６１と結合したつまみ６３を包含している。
この場合、つまみ６３の操作により、ロック機構１２を解放してアダプター２を本体ケース１から取り外せ、取り外し後につまみ６３を放せば、スプリング６２によりつまみ６３は原位置に戻ってアダプター２の次の取り付けに備えさせられる。
【００４７】
（請求項６）ロック片６１は欠環状となっており、取付口３の周壁に取付口３と同心に形成した欠環状溝７１に取付口３の軸線ｘ方向に移動自在に収容され、アダプター２の圧入により突起３１、４１がロック片６１の当接面７２に当接してこれを押し込み、続く回転動作でこの当接面７２から離脱した状態でスプリング６２により原位置に復帰し、その湾曲方向の端面７３で突起３１、４１の側面７４、７５と係合してアダプター２の戻りを阻止するようになっている。
この場合、ロック片６１の自動復帰により突起３１、４１の自動ロックができ、一旦ロックすると、ロック片６１は人為的に力を加えない限り原状復帰をしないので、高圧ガス容器が意に反して本体ケースから脱出する恐れはない。
【００４８】
（請求項７）つまみ６３は本体ケース１に穿った長孔８１を通して本体ケース１の外部からロック片６１と弾発的に係合しており、つまみ６３の移動によりロック片６１の端面７３を突起３１、４１の側面７４、７５から外して、突起３１、４１の戻りを許容するようになっている。
この場合、ロック片６１を欠環状溝７に収めた状態でつまみ６３をロック片６１と、長孔８１を通して結合でき、組立てが容易で、つまみ６３によりロック片６１を退避させることにより、アダプター２を本体ケース１から取り外すことができる。
【００４９】
（請求項８）  本体ケース１の長孔８１は、つまみ６３の移動範囲を、ロック片６１が欠環状溝７１から脱出しない範囲に、規制している。
この場合、ロック片６１が欠環状溝７１から脱出するのを防げる。
【符号の説明】
【００５０】
１        本体ケース
２        アダプター
３        取付口
４        軸孔
５        取付部
６        撃針伝導軸
７        導入部
Ｂ        高圧ガス容器
８        外壁面
９        内壁面
１０      係合機構
１１      表示窓
１２      ロック機構
Ｄ        外径
ｄ        外径
３１      突起
３２      凹部
４１      突起
４２      凹部
５１      標識  
５２      穿針
５３      封板  
５４      支持体
６１      ロック片
６２      スプリング
６３      つまみ
７１      欠環状溝
７２      当接面
７３      端面
ｘ        軸線
７４      側面
７５      側面
８１      長孔
【図１】
0005944684.tif 000002
【図２】
0005944684.tif 000003
【図３】
0005944684.tif 000004
【図４】
0005944684.tif 000005
【図５】
0005944684.tif 000006
【図６】
0005944684.tif 000007